【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングに取り付けられる一方、吸入通路を有しているマウスピースと、
薬剤を収容している複数の薬剤室を有するディスク型組立体とを備えている吸入器であって、
前記ディスク型組立体は、前記ハウジングに回転可能に取り付けられる一方、薬剤を収容している前記複数の薬剤室を、前記マウスピースが設けられた部位に順次移動させることが可能であり、
前記マウスピースは、前記ディスク型組立体の外周縁部または該外周縁部を超えた部位に配置されるとともに、前記ハウジング内の孔部を介して前記ディスク型組立体と連通し、
該吸入器は、さらに、前記ディスク型組立体に連結された間欠回転機構を備えていて、
前記マウスピースは、前記ハウジングに対して移動可能に取り付けられるとともに、前記間欠回転機構の一部を形成していることを特徴とする吸入器。
【請求項２】
前記マウスピースはブレーキであり、（i）該マウスピースが前記ディスク型組立体と係合して前記ディスク型組立体の回転を阻止する制動位置と（ii）該マウスピースが前記ディスク型組立体との係合から解放される解放位置との間を移動可能であることを特徴とする、請求項１に記載の吸入器。
【請求項３】
前記マウスピースは、前記ディスク型組立体に向かって伸び、前記制動位置に位置するときには前記ディスク型組立体内の切り込み部と係合する間隔部材を備えていることを特徴とする、請求項２に記載の吸入器。
【請求項４】
前記マウスピースと該吸入器の外側カバー部材とが、前記ハウジングと前記外側カバー部材との相対回転が前記制動位置と前記解放位置との間で前記マウスピースを移動させるように協働する協働カム面を有していることを特徴とする、請求項３に記載の吸入器。
【請求項５】
前記マウスピースの前記協働カム面は、前記制動位置では前記間隔部材を前記ディスク型組立体に対して付勢するように作用するばねに結合されていることを特徴とする、請求項４に記載の吸入器。
【請求項６】
前記マウスピースと前記ディスク型組立体とは、前記制動位置に位置するときには、バイパス空気通路を形成することを特徴とする、請求項１〜５のいずれか１つに記載の吸入器。
【請求項７】
前記バイパス空気通路の寸法は、前記ディスク型組立体と係合している前記間隔部材によって決定されていることを特徴とする、請求項６に記載の吸入器。
【請求項８】
該吸入器の使用時には前記吸入通路内に複合空気流が生成され、前記バイパス空気通路から流入する空気が、前記ディスク型組立体の薬剤室から流入する空気の流れに比べて、前記吸入通路の壁部に近い部位を流れることを特徴とする、請求項６または請求項７に記載の吸入器。
【請求項９】
ハウジングと、前記ハウジングに取り付けられたマウスピースとを備えている吸入器であって、
前記マウスピースは、該マウスピースを貫通して伸びるとともに吸入通路入口部を備えた吸入通路を有し、
該吸入器は、さらに、薬剤を収容する複数の薬剤室とそれぞれ前記薬剤室に対応する複数の薬剤出口部とを有するディスク型組立体を備えていて、
前記ディスク型組立体は、前記ハウジングに回転可能に取り付けられる一方、前記薬剤出口部を、前記マウスピースの前記吸入通路入口部が設けられた部位に順次移動させることが可能であり、
前記吸入通路入口部は、前記マウスピースが位置している前記薬剤出口部とは離間していて、前記薬剤出口部と前記吸入通路入口部との間にバイパス空気通路が形成されていることを特徴とする吸入器。
【請求項１０】
前記マウスピースは、前記ディスク型組立体の縁部に当接して前記バイパス空気通路の寸法を決定する間隔部材を備えていることを特徴とする、請求項９に記載の吸入器。
【請求項１１】
前記マウスピースは、前記間隔部材が前記ディスク型組立体との当接から解放されて前記ディスク型組立体が前記ハウジングに対して回転することを可能にするような形態で、移動可能に取り付けられていることを特徴とする、請求項１０に記載の吸入器。
【請求項１２】
前記マウスピースと前記ハウジングとの間をシールする可撓性を有するマウスピースシール部材が設けられ、
前記マウスピースシール部材は、前記マウスピースの移動に対応して、前記マウスピースと前記ハウジングとの間のシールされた当接状態を維持しつつ、前記間隔部材を前記ディスク型組立体に対して当接させまたは該当接を解除させることができることを特徴とする、請求項１１に記載の吸入器。
【請求項１３】
前記バイパス空気通路は、前記吸入通路入口部の周縁部を、該周縁部の少なくとも８０％、好ましくは１００％の範囲にわたって取り巻いて伸びていることを特徴とする、請求項９または１０に記載の吸入器。
【請求項１４】
該吸入器の使用時には前記吸入通路内に複合空気流が生成され、前記バイパス空気通路から流入する空気が、前記ディスク型組立体の薬剤室から流入する空気の流れに比べて、前記吸入通路の壁部に近い部位を流れることを特徴とする、請求項１３に記載の吸入器。
【請求項１５】
前記マウスピースを貫通して伸びる第２のバイパス空気通路をさらに備えていることを特徴とする、請求項８〜１１のいずれか１つに記載の吸入器。
【請求項１６】
ユーザによる薬剤の吸入に際して、薬剤を収容している空洞部の開放動作を始動するための呼吸始動機構をさらに備えていて、
吸入された空気の流れが実質的にすべて前記呼吸始動機構に作用することを特徴とする、請求項８〜１２のいずれか１つに記載の吸入器。
【請求項１７】
モメタゾン、臭化イプラトロピウム、チオトロピウムおよびそれらの塩、サルメテロール、プロピオン酸フルチカゾン、二プロピオン酸ベクロメタゾン、レプロテロール、クレンブテロール、ロフレポニドおよび塩、ネドクロミル、クロモグリク酸ナトリウム、フルニソリド、ブデソニド、フォルモテロールフマレート二水和物、テルブタリン、硫酸テルブタリン、サルブタモール塩基および硫酸塩、フェノテロール、３−[２−(４−ヒドロキシ−２−オキソ−３Ｈ−１,３−ベンゾチアゾール−７−イル)エチルアミノ]−Ｎ−[２−[２−(４−メチルフェニル)エトキシ]エチル]プロパン−スルホンアミド、ヒドロクロライド、インダカテロール、臭化アクリジニウム、Ｎ−[２−(ジエチルアミノ)エチル]−Ｎ−(２−{[２−(４−ヒドロキシ−２−オキソ−２,３−ジヒドロ−１,３−ベンゾチアゾール−７−イル)エチル]アミノ}エチル)−３−[２−(１−ナフチル)エトキシ]プロパンアミドまたはその薬学的に許容される塩(例えば二臭化水素酸塩)；Ｎ−シクロヘキシル−Ｎ３−[２−(３−フルオロフェニル)エチル]−Ｎ−(２−{[２−(４−ヒドロキシ−２−オキソ−２,３−ジヒドロ−１,３−ベンゾチアゾール−７−イル)エチル]アミノ}エチル)−β−アラニンアミドまたはその薬学的に許容される塩(例えばジ−Ｄ−マンデル酸塩)；[２−(４−クロロ−ベンジルオキシ)−エチル]−[２−((Ｒ)−シクロヘキシル−ヒドロキシ−フェニル−メチル)−オキサゾール−５−イルメチル]−ジメチル−アンモニウム塩(例えばヘミ−ナフタレン−１,５−ジスルホン酸塩)；(Ｒ)−１−[２−(４−フルオロ−フェニル)−エチル]−３−((Ｓ)−２−フェニル−２−ピペリジン−１−イル−プロピオニルオキシ)−１−アゾニア−ビシクロ[２.２.２]オクタン塩(例えば臭化物またはトルエンスルホン酸塩)；またはこれらの任意の２種以上の組み合わせからなる群から選択される活性成分を含有する、請求項１〜１６のいずれか１つに記載の吸入器。
【請求項１８】
請求項１に記載の吸入器を用いて、請求項１７に記載の活性成分のいずれかを含有する薬剤を患者に投与することを特徴とする方法。